【手続補正書】
【提出日】令和1年7月19日(2019.7.19)
【手続補正１】
【補正対象書類名】特許請求の範囲
【補正対象項目名】全文
【補正方法】変更
【補正の内容】
【特許請求の範囲】
【請求項１】
電極群、対電極群、および前記電極群の要素と前記対電極群の要素とを隔てるミクロ多孔性セパレータを含む、電極構造体であって、前記電極群および前記対電極群は、前記電極群の要素が前記対電極群の要素により互いから隔てられる交互シーケンスで配列され、前記交互シーケンスは第１方向に進行し、前記電極群の各要素は、電極活物質層および横方向表面を有する電極電流コレクタ層を含み、前記電極群の各要素は底部、上部、長さＬＥ、幅ＷＥ、および高さＨＥを有し、前記長さＬＥはそれぞれの係る電極の前記底部から前記上部まで測定され、前記幅ＷＥおよび前記高さＨＥは、互いに対して垂直であり且つ前記長さＬＥの測定方向に対して垂直である方向に測定され、ＬＥの、ＷＥおよびＨＥのそれぞれと、の比はそれぞれ少なくとも５：１であり、ＨＥのＷＥとの比はそれぞれ０．４：１〜１０００：１の範囲であり、前記電極活物質層は、前記電極群の中の前記電極電流コレクタ層の、各横方向表面の上に配置される、電極構造体。
【請求項２】
前記電極群はＮ個の要素を有し、前記対電極群はＮ＋１個の要素を有し、Ｎは少なくとも５である、請求項１に記載の電極構造体。
【請求項３】
前記電極構造体は電極基板をさらに含み、前記電極群の各要素の前記底部は前記電極基板に直接的に取り付けられる、請求項１〜請求項２のうちのいずれか１つに記載の電極構造体。
【請求項４】
ＬＥは約１０ｍｍ〜約２５０ｍｍの範囲内の値を有する、請求項１〜請求項３のうちのいずれか１つに記載の電極構造体。
【請求項５】
ＷＥおよびＨＥのそれぞれは約０．０１ｍｍ〜約５ｍｍの範囲内の値を有する、請求項１〜請求項４のうちのいずれか１つに記載の電極構造体。
【請求項６】
前記電極群の各要素に対してＬＥの、ＷＥおよびＨＥのそれぞれと、の比はそれぞれ少なくとも１０：１である、請求項１〜請求項５のうちのいずれか１つに記載の電極構造体。
【請求項７】
前記電極群の各要素の前記電極電流コレクタ層は、前記長さＬＥと同一方向に測定された長さＬＥ−Ｃを有し、前記長さＬＥ−Ｃは前記長さＬＥの少なくとも５０％である、請求項１〜請求項６のうちのいずれか１つに記載の電極構造体。
【請求項８】
前記電極構造体は電極基板をさらに含み、前記電極群の各要素の前記底部は前記電極基板に対して直接的に取り付けられ、前記電極基板は、前記電極群の各要素からの電流を蓄えるための電極バスを含み、前記電極バスは長さＬＥ−Ｂ、幅ＷＥ−Ｂ、および高さＨＥ−Ｂを有し、前記長さＬＥ−Ｂは前記第１方向に測定され、前記幅ＷＥ−Ｂおよび前記高さＨＥ−Ｂは、互いに対して垂直であり且つ前記第１方向に対して垂直な方向に測定され、ＬＥ−Ｂの、ＷＥ−ＢおよびＨＥ−Ｂのそれぞれと、の比は少なくとも５：１である、請求項１〜請求項７のうちのいずれか１つに記載の電極構造体。
【請求項９】
前記対電極群の各要素は対電極活物質層および対電極電流導体層を含み、前記対電極群の各要素は、底部、上部、長さＬＣＥ、幅ＷＣＥ、および高さＨＣＥを有し、前記長さＬＣＥはそれぞれの係る対電極の前記底部から前記上部まで測定され、前記幅ＷＣＥおよび前記高さＨＣＥは、互いに対して垂直であり且つ前記長さＬＣＥの測定方向に対して垂直な方向に測定され、ＬＣＥの、ＷＣＥおよびＨＣＥのそれぞれと、の比はそれぞれ少なくとも５：１であり、ＨＣＥのＷＣＥとの比はそれぞれ０．４：１〜１０００：１の範囲であり、前記対電極群の各要素の前記対電極電流コレクタ層は、前記長さＬＣＥと同一方向に測定された長さＬＣＥ−Ｃを有し、前記長さＬＣＥ−Ｃは前記長さＬＣＥの少なくとも５０％である、請求項１〜請求項８のうちのいずれか１つに記載の電極構造体。
【請求項１０】
前記電極電流コレクタ層および前記電極活物質層は電気伝導性を有し、前記電極群の各要素に対して、前記電極電流コレクタ層の前記電気伝導性の前記電極活物質層の前記電気伝導性との比はそれぞれ少なくとも１００：１である、請求項１〜請求項９のうちのいずれか１つに記載の電極構造体。
【請求項１１】
前記電極群は負極群であり、前記対電極群は正極群であり、前記電極活物質層は負極活物質層であり、前記電極電流導体層は負極電流導体層であり、前記負極活物質層は炭素、アルミニウム、スズ、シリコン、またはこれらの合金を含む、請求項１〜請求項１０のうちのいずれか１つに記載の電極構造体。
【請求項１２】
前記負極活物質層はシリコンもしくはシリコンの合金のナノワイヤ、または多孔性シリコンもしくは多孔性シリコンの合金を含む、請求項１１に記載の電極構造体。
【請求項１３】
前記電極群は負極群であり、前記対電極群は正極群であり、前記負極群の各要素は負極活物質層および負極電流導体層を含み、前記負極群の各要素は、底部、上部、長さＬＮＥ、幅ＷＮＥ、および高さＨＮＥを有し、前記長さＬＮＥはそれぞれの係る負極の前記底部から前記上部まで測定され、前記幅ＷＮＥおよび前記高さＨＮＥは、互いに対して垂直であり且つ前記長さＬＮＥの測定方向に対して垂直な方向に測定され、ＬＮＥの、ＷＮＥおよびＨＮＥのそれぞれと、の比は、それぞれ少なくとも５：１であり、ＨＮＥのＷＮＥとの比は０．４：１〜１０００：１の範囲であり、前記群の各要素の前記負極電流コレクタ層は、ＬＮＥと同一方向に測定された長さＬＮＣを有し、前記長さＬＮＣはＬＮＥの少なくとも５０％である、請求項１に記載の電極構造体。
【請求項１４】
前記電極群は正極群であり、前記対電極群は負極群であり、
（ｉ）前記正極群の各要素は正極活物質層および正極電流導体層を含み、前記正極群の各要素は底部と、上部と、長さＬＰＥと、幅ＷＰＥと、高さＨＰＥと、を有し、前記長さＬＰＥはそれぞれの係る正極の前記底部から前記上部まで測定され、前記幅ＷＰＥおよび前記高さＨＰＥは、互いに対して垂直であり且つ前記長さＬＰＥの測定方向に垂直な方向に測定され、ＬＰＥのＷＰＥおよびＨＰＥのそれぞれとの比はそれぞれ少なくとも５：１であり、ＨＰＥのＷＰＥとの比はそれぞれ０．４：１〜１０００：１の範囲であり、前記正極群の各要素の前記正極電流コレクタ層は、ＬＰＥと同一方向に測定された長さＬＰＣを有し、前記長さＬＰＣはＬＰＥの少なくとも５０％であり、
（ｉｉ）前記負極群の各要素は負極活物質層および負極電流導体層を含み、前記負極群の各要素は底部と、上部と、長さＬＮＥと、幅ＷＮＥと、高さＨＮＥと、を有し、前記長さＬＮＥはそれぞれの係る負極の前記底部から前記上部まで測定され、前記幅ＷＮＥおよび前記高さＨＮＥは、互いに対して垂直であり且つ前記長さＬＮＥの測定方向に垂直な方向に測定され、ＬＮＥのＷＮＥおよびＨＮＥのそれぞれとの比はそれぞれ少なくとも５：１であり、ＨＮＥのＷＮＥとの比はそれぞれ０．４：１〜１０００：１の範囲であり、前記負極群の各要素の前記負極電流コレクタ層は、ＬＮＥと同一方向に測定された長さＬＮＣを有し、前記長さＬＮＣはＬＮＥの少なくとも５０％である、
請求項１に記載の電極構造体。
【請求項１５】
少なくとも２つの電極構造体を含む電極スタックであって、前記電極構造体のそれぞれは請求項１〜請求項１４のうちのいずれか１つに記載の電極構造体を含む、電極スタック。
【請求項１６】
前記電極構造体は垂直に積み重ねらされ、それにより、前記電極スタック内の第１電極構造体により含まれる前記正極群および前記負極群は、前記電極スタック内の第２電極構造体により含まれる前記正極群および前記負極群と異なる平面に存在する、請求項１５に記載の電極スタック。
【請求項１７】
前記電極構造体は水平に配列され、それにより、前記電極スタック内の第１電極構造体により含まれる前記正極群および前記負極群は、前記電極スタック内の第２電極構造体により含まれる前記正極群および前記負極群と実質的に同一の平面に存在する、請求項１５に記載の電極スタック。
【請求項１８】
電池筐体と、非水電解質と、請求項１〜請求項１４のうちのいずれか１つに記載の電極構造体または請求項１５〜請求項１７のうちのいずれか１つに記載の電極スタックと、を含む２次電池。